(57)【要約】      （修正有）【課題】単純な柱状の構造でありながら、複雑な組立体を得ることができ、創造性豊かな組木遊びや家具への応用を可能とする組木、それを利用した組立体及び家具を提供する。【解決手段】組木１０は、柱状の基部の両側に左右対称の切り欠き１２、１４を設け、この切り欠きが基部と組み合う、また切り欠き同士が組み合うようになっており、一種類の組木で複雑な組立体を形作ることができる。【選択図】図１
0003205943.tif 000002
【実用新案登録請求の範囲】
【請求項１】
柱状の基部の両側に左右対称の切り欠きを設け、前記の切り欠きが基部と組み合う、また切り欠き同士が組み合うことを可能とした形状で、外寸の厚さと幅は同一寸法でありこれをＷとした場合、長さは６Ｗであり、切り欠きは端からＷの寸法分内側に入った地点からＷの幅で、Ｗの２分の１の深さである組木。
【請求項２】
表面に着色を施したことを特徴とする前記の組木。
【請求項３】
請求項１〜２のいずれかに記載の組木の切り欠きに、請求項１〜２のいずれかに記載の組木の基部または切り欠きが噛み合うように組み立てたことを特徴とする組木の組立体。
【請求項４】
請求項３記載の組木の組立体の構造を有することを特徴とする家具。
【考案の詳細な説明】
【技術分野】
【０００１】  本考案は、組木、それを利用した組立体及び家具に関するものである。
【背景技術】
【０００２】  三角形、四角形、円形等の単純な幾何学的形状の立体を積み上げる積み木という玩具があり、広く一般に親しまれている。積み木では住居に類する構造物を作ることがあるが、立体同士を積み上げることで構造とする為、日本の住居で一般的な木造軸組みに類する構造物を作ることは、従来の積み木では困難である。また、積み木のセットに含まれる様々な形状が限られた個数であることにより、創作の発想が制約されるという課題がある。【０００３】  組木に関する背景技術としては、例えば、下記特許文献記載の「組木、それを利用した組立体及び家具」がある。これは直方体に近い外寸からなる３種類の単純なピースを組み合わせ複雑な組立体を得ることができるものである。
【先行技術文献】
【特許文献】
【０００４】
【特許文献１】実願２０１１−５５０２号公報
【考案の概要】
【考案が解決しようとする課題】
【０００５】  しかしながら、上述した背景技術は直方体に近い外寸であり、軸組みを構成できる比率の立体ではない。また、ピースが３種類ある為、種類ごとの個数の上限に発想が制約される課題がある。本考案は以上の様な点に着目したもので、その目的は、一種類の単純な構造でありながら、木造軸組に類する組立体を得ることができ、創造性豊かな組木遊びや家具への応用を可能とすることである。
【課題を解決するための手段】
【０００６】  本考案の組木は、柱状の基部の両側に左右対称の切り欠きを設けた一種類で、前記の切り欠きが基部と組み合う、また切り欠き同士が組み合うことを特徴とする。組木の外寸は厚さと幅が同一寸法であり、これをＷとした場合、長さは６Ｗである。切り欠きは端からＷの寸法分内側に入った地点からＷの幅で、Ｗの２分の１の深さであることを特徴とする。
【考案の効果】
【０００７】  本考案によれば、切り欠きを設けた一種類の柱状の組木を用意し、切欠きが柱や切り欠き同士で組み合う寸法設計としたので、単純な構造でありながら、複雑な組立体を形作ることができ、組木遊び、オブジェクトの創作に適し、家具としても利用することもできる。
【図面の簡単な説明】
【０００８】
【図１】  本考案の組木の斜視図である。
【図２】  本考案の組木の三面図である。
【図３】  本考案の組木を木材で制作した制作例である。
【図４】  本考案の組木ピースの組立体を示す図である。
【図５】  本考案の組木ピースの組立体を示す図である。
【図６】  本考案の組木ピースの組立体を示す図である。
【図７】  本考案の組木ピースの組立体を示す図である。
【図８】  本考案の組木ピースの組立体を示す図である。
【図９】  本考案の組木ピースの組立体を示す図である。
【図１０】  本考案の組木ピースの組立体を示す図である。
【図１１】  本考案の組木ピースの組立体を示す図である。
【実施例１】
【０００９】  図１には、本考案の実施例が示されている。同図に示すように、本実施例の組木１０は、柱上の基部に左右対称に切り欠き１２、１４を形成することで、端部１１、１５及び胴部１３が形成されている。端部１１、１５は厚さ及び幅及び長さがＷであり、胴部１４は厚さ及び幅がＷであり長さが２Ｗである。切り欠き１２、１４は切り欠きの深さがＷの２分の１の深さであり、素材部分がＷの２分の１の厚みで、幅および長さがＷとなっている。Ｗはどのように設定してもよいが、玩具の場合や小型の家具の場合には例えば３センチとし、中型の家具の場合は例えば７センチとする。組木１０の角部ないし頂部には、面取りを適宜施す場合がある。組木の材料としては、木材、樹脂、金属、ガラスなど、多様なものが使用可能である。
【実施例２】
【００１０】  図４〜図１１を参照しながら、本考案の実施例２について説明する。本実施例は、組立体の例を示すものである。【００１１】  図４は組木を土台、柱、桁、梁に見立てて組み合わせた木構軸組構造に類する組立体を得たものである。切り欠き同士を組み井桁の形状としたものを２つ作成し、柱として建てた組木の切り欠きの上部及び下部で井桁を受け止めている。前記の組立体の上段の井桁に、柱として立てた組木の切り欠きを組み合わせることで、さらに垂直側に組立体を拡張することができる。また左右に構成した組立体と組木でつなげば水平側に組立体を拡張することができる。【００１２】  図５は桁に相当する部分に腕木に相当する部材として組木を噛ませた組立体である。切り欠きの幅が組木の幅と同じであること、また、端部の幅がＷで胴部の幅が２Ｗであることで組木同士が突っ張る安定した構造となり、従来の積み木では不可能な比率で庇に類する部位を持つ組立体を得たものである。【００１３】  図６は組木の切欠き同士を組み合わせ平面的な組立体を得たものである。多くの組木を組み合わせることで多様な模様を得ることができる。【００１４】  図７、８は組木の切欠き同士を組み合わせことで従来の積み木では実現することのできない吊り上げの構造をもつ組立体を得たものである。切り欠きを組み合わせてバランスの取れた構造とすれば、図８のように組立体を持ち上げることも可能である。これも従来の積み木では実現することのできなかった構造である。【００１５】  図９は切欠き同士を組み合わせることにより、直方体を斜めに配置したにも関わらず安定した構造となった組立体である。中段では、１つの切欠きに二つの切欠きを挟み、安定した構造、且つ、アンシンメトリーで目を引く意匠の組立体を得たものである。【００１６】  図１０は２本ずつの組木で切り欠きを組み合わせて井桁の形状とした剛性の高い構造と、前記構造の真ん中の穴部分に組木の切欠きを噛ませ斜めに支えた組立体である。正面の出っ張った端部にタブレット端末を置く事を想定した組立体の小型の家具である。【００１７】  図１１は柱とした組木の切り欠きに、桁として２本の組木の切欠きを噛ませた剛正の強い脚部に、天板として４本の組木の切欠きを噛ませて構成したスツールとして使える組立体の中型の家具である。【００１８】  なお、本考案は、上述した実施例に限定されるものではなく、本考案の要旨を逸脱しない範囲内において種々の変更を加えることができる。例えば、以下のものも含まれる。
（１）組木に、色、模様、文字などをつけるようにしてもよい。その場合に、組木の面ごとに色や模様などを変更するようにしてよい。また、表面に塗装などのコーティングを施す、異なる素材を張り付けるなど、公知の各種の技術を適用してよい。
（２）組木の中に金属などを入れて重量を重くしたり、逆に中空とすることで重量を軽くするなど、必要に応じた構造としてよい。
（３）素材が異なる組木を組み合わせるようにしてもよい。例えば、オブジェクトの下段部分には金属製もしくは金属入りの重い組木を使用し、上段部分には木材や中空の軽い組木を使用することで、バランスをとるといった具合である。
（４）前記組木は、素材から削り出して制作してもよいが、ダイキャストなど、公知の各種の方法を使用してよい。
【産業上の利用可能性】
【００１９】  本考案によれば、柱状の基部の両側に左右対称の切り欠きを設け、前記の切り欠きが基部と組み合う、また切り欠き同士が組み合う寸法設計としたので、単純な一種類の構造でありながら、複雑な組立体を形作ることができ、組木遊びやオブジェクトの創作、家具の分野に利用できる。
【符号の説明】
【００２０】  １０：組木
１１：端部
１２：切り欠き
１３：胴部
１４：切り欠き
１５：端部
１６：端
１７：端
【図１】
0003205943.tif 000003
【図２】
0003205943.tif 000004
【図３】
0003205943.tif 000005
【図４】
0003205943.tif 000006
【図５】
0003205943.tif 000007
【図６】
0003205943.tif 000008
【図７】
0003205943.tif 000009
【図８】
0003205943.tif 000010
【図９】
0003205943.tif 000011
【図１０】
0003205943.tif 000012
【図１１】
0003205943.tif 000013
【手続補正書】
【提出日】平成28年6月3日(2016.6.3)
【手続補正１】
【補正対象書類名】実用新案登録請求の範囲
【補正対象項目名】全文
【補正方法】変更
【補正の内容】
【実用新案登録請求の範囲】
【請求項１】
柱状の基部の両側に左右対称の切り欠きを設け、前記の切り欠きが基部と組み合う、また切り欠き同士が組み合うことを可能とした形状で、外寸の厚さと幅は同一寸法でありこれをＷとした場合、長さは６Ｗであり、切り欠きは端からＷの寸法分内側に入った地点からＷの幅で、Ｗの２分の１の深さである組木。
【請求項２】
表面に着色を施したことを特徴とする請求項１に記載の組木。
【請求項３】
請求項１〜２のいずれか一項に記載の組木の切り欠きに、請求項１〜２のいずれか一項に記載の組木の基部または切り欠きが噛み合うように組み立てたことを特徴とする組木の組立体。
【請求項４】
請求項３に記載の組木の組立体の構造を有することを特徴とする家具。